(57)【特許請求の範囲】
【請求項１】
画像の処理に係る複数ジョブを順次実行すると共に、実行中のジョブに対して割り込みジョブの実行が可能な画像処理装置において、
割り込みジョブの受付可能状態を表示する表示部と、
先行して処理されているプリントジョブの印刷処理を中断して第１の割り込みコピージョブの処理が行われているときに、第２の割り込みコピーの受け付けが可能であることを上記表示部により表示させ、第２の割込みコピーを指示する入力があった場合に、その割り込みコピージョブを受け付ける一方、第２の割り込みコピーを指示する入力がなく第１の割り込みコピージョブの印刷処理が完了した場合に、中断されていた先行するプリントジョブの印刷処理が再開されるようにジョブを制御する制御手段とを備えたことを特徴とする画像処理装置。
【請求項２】
画像の処理に係る複数ジョブを順次実行すると共に、実行中のジョブに対して原稿画像の読み込み処理を含んだ割り込みジョブの実行が可能な画像処理装置において、
割り込みジョブの受付可能状態を表示する表示部と、
実行中のプリントジョブに対して原稿画像の読み込み処理を含んだ第１の割り込みコピージョブの実行を開始すべき旨の割り込み指令を受けると、上記第１の割り込みコピージョブの原稿画像の読み込み処理が終了するまで、上記表示部に割り込みジョブの受付可能状態を表示させず、第１の割り込みコピージョブの原稿画像の読み込み処理が終了した場合に、引き続き第１の割り込みコピージョブの印刷処理が行われるようにジョブを制御し、かつ原稿画像の読み込み処理を含んだ第２の割り込みコピージョブの受け付けが可能であることを上記表示部により表示させ、第２の割込みコピーを指示する入力があった場合に、その割り込みコピージョブを受け付ける一方、第２の割り込みコピーを指示する入力がなく第１の割り込みコピージョブの印刷処理が完了した場合に、中断されていた先行するプリントジョブの印刷処理が再開されるようにジョブを制御する制御手段とを備えたことを特徴とする画像処理装置。
【請求項３】
上記第２の割り込みコピージョブを実行すべき旨の割り込み指令を受け付けると、該第２の割り込みコピージョブに係る原稿画像の読み込み処理の一部又は全部は、上記第１の割り込みコピージョブの実行中に行われると共に、上記第２の割り込みコピージョブは、上記第１の割り込みコピージョブの実行終了後に実行されることを特徴とする請求項２に記載の画像処理装置。
【請求項４】
上記第１及び第２の割り込みコピージョブの実行を開始すべき旨の割り込み指令は、上記表示部としてのタッチパネルに表示される表示上のキーを介して行われ、このキーは、上記割り込みジョブが実行可能な状態であるときのみ表示されるようになっていることを特徴とする請求項１または２に記載の画像処理装置。
【請求項５】
画像の処理に係る複数ジョブを順次実行し、実行中のジョブに対して割り込みジョブの実行が可能な画像処理方法において、
先行して処理されているプリントジョブの印刷処理を中断して第１の割り込みコピージョブの処理が行われているときに、第２の割り込みコピーの受け付けが可能であることを表示し、第２の割込みコピーを指示する入力があった場合に、その割り込みコピージョブを受け付ける一方、第２の割り込みコピーを指示する入力がなく第１の割り込みコピージョブの印刷処理が完了した場合に、中断されていた先行するプリントジョブの印刷処理が再開されるようにジョブを制御することを特徴とする画像処理方法。
【請求項６】
画像の処理に係る複数ジョブを順次実行すると共に、実行中のジョブに対して原稿画像の読み込み処理を含んだ割り込みジョブの実行が可能な画像処理方法において、
実行中のプリントジョブに対して原稿画像の読み込み処理を含んだ第１の割り込みコピージョブの実行を開始すべき旨の割り込み指令を受けると、上記第１の割り込みコピージョブの原稿画像の読み込み処理が終了するまで、割り込みジョブの受付可能状態を表示せず、第１の割り込みコピージョブの原稿画像の読み込み処理が終了した場合に、引き続き第１の割り込みコピージョブの印刷処理が行われるようにジョブを制御し、かつ原稿画像の読み込み処理を含んだ第２の割り込みコピージョブの受け付けが可能であることを表示し、第２の割込みコピーを指示する入力があった場合に、その割り込みコピージョブを受け付ける一方、第２の割り込みコピーを指示する入力がなく第１の割り込みコピージョブの印刷処理が完了した場合に、中断されていた先行するプリントジョブの印刷処理が再開されるようにジョブを制御することを特徴とする画像処理方法。
【発明の詳細な説明】
【０００１】
【発明の属する技術分野】
本発明は、読み込まれた原稿画像に基づいて画像の印刷処理、画像の送信処理等の画像処理に係る複数ジョブを順次実行し、実行中のジョブに対して割り込みジョブを実行する画像処理装置および画像処理方法に関するものである。
【０００２】
【従来の技術】
従来より、コピー機能やプリンタ機能等の画像の印刷処理機能、ファクシミリ（以下、ＦＡＸと略記する）機能等の印刷処理機能及び送信処理機能、ネットワーク送信機能（SCAN TO E-mail機能、SCAN TO FTP 機能）等の送信処理機能などの各種機能を有する複合型の画像処理装置が最近多く出ている。なお、SCAN TO E-mail機能（電子メール機能）とは、スキャンした原稿の画像を電子メール（E-mail）に添付して所定のアドレスに送信する機能であり、SCAN TO FTP 機能とは、スキャンした原稿の画像をネットワーク上のサーバー等の端末が所有するホルダー等に送信する機能である。
【０００３】
従来より、このような各種機能を有する複合型の画像処理装置においては、各種機能の１まとまりの動作を１つのジョブとして管理し、ユーザからの複数のジョブの実行指定を受け入れて、指示されたジョブを順次実行していく形式のものが最近多く開発されている。
【０００４】
ジョブとしては、原稿載置台に配置された１枚の原稿あるいは一連の複数枚の原稿を複写するコピージョブ、ユーザによって指定された１つの電子文書の指定頁を印刷する印刷ジョブ、原稿載置台に配置された１枚の原稿あるいは一連の複数枚の原稿をＦＡＸ送信するＦＡＸ送信ジョブ、ＦＡＸ受信した１枚または複数枚の文書を印刷する受信ＦＡＸ印刷ジョブ、原稿載置台に配置された１枚の原稿あるいは一連の複数枚の原稿を電子メール（e-mail）としてネットワークを介して送信する電子メール送信ジョブ(SCAN TO E-mail ジョブ）等がある。
【０００５】
このような複合型の画像処理装置においては、複数のジョブが指示されると、１つのジョブを実行するとともに、他のジョブを待機ジョブ（待ちジョブ）とし、待機ジョブをデータをメモリに蓄積して、最初のジョブの実行後に、順次処理していくようになっている。これをジョブキューと称す。
【０００６】
このような複合型の画像処理装置においては、ユーザが、実行中のジョブや待機ジョブの間に割り込んで、原稿画像の読み込み処理（読取処理）を含んだジョブを実行したい場合がある。すなわち、画像処理装置が他の実行すべきジョブキューを有している場合に、実行中のジョブの中断、待機ジョブの間に入る等、ジョブキューに割り込んで、原稿画像の読み込み処理を含んだ他のジョブを実行したい場合がある。
【０００７】
従来では、例えば、特開昭６４−２１５２８号公報に記載されているように、上記のようなコピーの割り込みジョブについては、操作パネルに割り込みキーを設けて、この割り込みキーを操作することで、現在実行中のジョブを一旦中断してコピージョブを行わせるようになっている。
【０００８】
【発明が解決しようとする課題】
ところが、上記特開昭６４−２１５２８号公報に記載の上記従来の割り込む処理においては、現在実行中のジョブを一旦中断して、中断時までの進行状態を記憶して現実行中のジョブを退避し、割り込みしたジョブの原稿の読み込みから印刷（印字）の終了までを割り込みジョブの期間とされていた。
【０００９】
このため、この割り込みジョブの期間のうちで、原稿画像の読み込み処理の完了後から割り込みジョブの印刷が完了するまでの間は、割り込みジョブに対して設定された条件どおりに印刷されるように画像データの補正が行われたり、割り込みジョブの印刷動作が実際に行われるのであるが、この間、コピーの予約ジョブ、ファクシミリの送信のための読み取りジョブ、SCAN TO E-mail、SCAN TO FTP 等の他のジョブに係る次の原稿画像の読み込み処理ができるにもかかわらず、待機しなければならなかった。したがって、その分、画像処理装置の稼働効率が低下するという問題点を招来していた。
【００１０】
本発明は上記従来の問題点に鑑みてなされたものであって、その目的は、画像処理装置の稼働効率を向上させると共に、複数の使用者（ユーザ）が個々に原稿画像の読み込み処理を含んだジョブを割り込ませる場合でも、又は、一人の使用者が連続して複数の原稿画像の読み込み処理を含んだジョブを割り込ませる場合でも、原稿画像の読み込み処理に際して待機する時間が低減できる画像処理装置および画像処理方法を提供することにある。
【００１１】
【課題を解決するための手段】
本発明の画像処理装置は、上記の課題を解決するために、画像の処理に係る複数ジョブを順次実行すると共に、実行中又は待機中のジョブに対して原稿画像の読み込み処理を含んだ割り込みジョブの実行が可能な画像処理装置において、次の措置を講じたことを特徴としている。
【００１２】
すなわち、上記画像処理装置は、実行中又は待機中のジョブに対して原稿画像の読み込み処理を含んだ第１の割り込みジョブの実行を開始すべき旨の割り込み指令を受けると、上記第１の割り込みジョブの原稿画像の読み込み処理が終了するまで、原稿画像の読み込み処理を含んだ第２の割り込みジョブの原稿画像の読み込み処理の開始を行わないようにジョブを制御する制御手段を備えている。
【００１３】
上記の発明によれば、画像の処理に係る複数ジョブが順次実行される。このジョブの実行中又は待機中に、原稿画像の読み込み処理を含んだ割り込みジョブを実行すべき旨の割り込み指令を受けると、次のようにして割り込みジョブが実行される。
【００１４】
すなわち、実行中のジョブに対して、原稿画像の読み込み処理を含んだ第１の割り込みジョブの実行を開始すべき旨の指令を受けると、すぐに実行中のジョブ（割り込まれたジョブ）は停止されて上記第１の割り込みジョブが実行されるわけではない。つまり、第１の割り込みジョブに係る原稿画像の読み込み処理が終了するまで、割り込まれたジョブ（上記実行中のジョブ）が継続して実行される。そして、上記原稿画像の読み込み処理が終了すると、割り込まれたジョブの実行が中断され、上記第１の割り込みジョブが実行されると共に、第２の割り込みジョブを実行すべき旨の割り込み指令を受け付ける。このようにして、割り込みジョブの実行の終了後、上記中断されていたジョブの実行が再開される。
【００１５】
また、待機中のジョブに対して、原稿画像の読み込み処理を含んだ第１の割り込みジョブの実行を開始すべき旨の指令を受けると、割り込まれた待機中のジョブは、第１の割り込みジョブに係る原稿画像の読み込み処理が終了するまで、実行の開始が可能となる。そして、上記原稿画像の読み込み処理が終了する前に待機中のジョブ（割り込まれたジョブ）の実行が開始された場合、上記原稿画像の読み込み処理が終了すると、上記ジョブの実行が中断され、上記第１の割り込みジョブが実行されると共に、第２の割り込みジョブを実行すべき旨の割り込み指令を受け付ける。そして、この第１の割り込みジョブの実行が終了すると、上記中断されていたジョブの実行が再開される。
【００１６】
つまり、上記画像処理装置によれば、原稿画像の読み込み処理を含んだ第１の割り込みジョブの実行を開始すべき旨の割り込み指令を受け付けると、割り込まれたジョブの実行と、上記第１の割り込みジョブの原稿画像の読み込み処理とが並行して行われる。加えて、上記第１の割り込みジョブの原稿画像の読み込み処理が終了すると、次の原稿画像の読み込み処理を含んだ割り込みジョブである第２の割り込みジョブの実行を開始すべき旨の割り込み指令を受け付ける。勿論、第１の割り込みジョブの原稿画像の読み込み処理の際に実行可能な処理、例えば第１の割り込みジョブに対して設定された条件どおりに印字できるように原稿の画像データを補正する等の処理も併せて行うことが好ましい。
【００１７】
以上より、割り込みジョブの実行を開始すべき旨の割り込み指令を受け付けた際に、割り込まれたジョブの停止（中断）と、割り込みジョブの実行の開始とがシーケンシャルに行われていた従来技術と比較して、上記画像処理装置によれば、第１の割り込みジョブに係る原稿画像の読み込み処理が行えると共に、この原稿画像の読み込み処理の終了までの間に割り込まれたジョブの実行と他の実行可能な必要処理とが行えるので、割り込まれたジョブの実行再開までの待機時間を短縮できると共に、画像処理装置の稼働効率を著しく向上させることが可能となる。しかも、割り込みジョブも含めた全てのジョブの終了までに要する時間を確実に短縮できる。それゆえ、複数の使用者（ユーザ）が個々に割り込み処理を行う場合でも各待機時間を低減できる。
【００１８】
上記画像処理装置において、上記第２の割り込みジョブを実行すべき旨の割り込み指令を受け付けると、上記第２の割り込みジョブに係る原稿画像の読み込み処理の一部又は全部は、上記第１の割り込みジョブの実行中に行われると共に、上記第２の割り込みジョブは、上記第１の割り込みジョブの実行終了後に実行されることが好ましい。
【００１９】
この場合、確実に第１の割り込みジョブが次の第２の割り込みジョブに優先して行われるので、時間的により早く割り込み指令を発した割り込みジョブが確実に優先的に処理、実行される。しかも、第１の割り込みジョブの実行中に、第２の割り込みジョブに係る原稿画像の読み込み処理の一部又は全部が行われるので、画像処理装置の稼働効率をより一層向上させることが可能となる。しかも、割り込みジョブも含めた全てのジョブの終了までに要する時間をより一層短縮できる。
【００２０】
本発明に係る他の画像処理装置は、上記課題を解決するために、画像の処理に係る複数ジョブを順次実行すると共に、実行中のジョブと次に実行すべきジョブとの間で原稿画像の読み込み処理を含んだ割り込みジョブの実行が可能な画像処理装置において、次の措置を講じたことを特徴としている。
【００２１】
すなわち、上記画像処理装置は、実行中の上記ジョブに対して原稿画像の読み込み処理を含んだ第１の割り込みジョブの実行を開始すべき旨の割り込み指令を受けると、実行中の上記ジョブの残量が所定量未満の場合、該ジョブの終了後に上記第１の割り込みジョブを実行する一方、上記残量が上記所定量以上の場合に上記第１の割り込みジョブを実行すると共に、上記第１の割り込みジョブの原稿画像の読み込み処理が終了するまで、原稿画像の読み込み処理を含んだ第２の割り込みジョブの原稿画像の読み込み処理の開始を行わないようにジョブを制御する制御手段を備えている。
【００２２】
上記の発明によれば、画像の処理に係る複数ジョブが順次実行される。実行中のジョブに割り込んで原稿画像の読み込み処理を含んだ割り込みジョブを実行すべき旨の割り込み指令を受けると、次のようにして割り込みジョブが実行される。
【００２３】
すなわち、実行中のジョブに対して、原稿画像の読み込み処理を含んだ第１の割り込みジョブを実行すべき旨の指令を受けると、すぐに実行中のジョブ（割り込まれたジョブ）は停止されて上記第１の割り込みジョブが実行されるわけではない。
【００２４】
具体的には、割り込まれたジョブの残量が所定量以上の場合、第１の割り込みジョブに係る原稿画像の読み込み処理が終了するまで、割り込まれたジョブが継続して実行される。上記原稿画像の読み込み処理が終了すると、割り込まれたジョブの実行が中断され、上記第１の割り込みジョブが実行されると共に、第２の割り込みジョブを実行すべき旨の割り込み指令を受け付ける。このようにして割り込みジョブの実行の終了後に、上記中断されていたジョブの実行が再開される。
【００２５】
一方、割り込まれたジョブの残量が所定量未満の場合、当該割り込まれたジョブはそのまま最後まで中断することなく実行された後、上記第１の割り込みジョブが実行される。割り込まれたジョブの残量に無関係に、一律に割り込まれたジョブが中断されるのではないので、より現実的なジョブの実行が行われる。この場合、割り込まれたジョブの実行中に、上記第１の割り込みジョブに係る原稿画像の読み込み処理が行われる。
【００２６】
このように、割り込まれたジョブの残量が所定量以上の場合、第１の割り込みジョブを受け付けると、当該割り込まれたジョブの継続実行と、上記第１の割り込みジョブの原稿画像の読み込み処理とが並行して行われる。加えて、上記第１の割り込みジョブの原稿画像の読み込み処理が終了すると、次の原稿画像の読み込み処理を含んだ割り込みジョブである第２の割り込みジョブを実行すべき旨の割り込み指令を受け付ける。勿論、第１の割り込みジョブの原稿画像の読み込み処理の際に実行可能な処理、例えば第１の割り込みジョブに対して設定された条件どおりに印字できるように原稿の画像データを補正する等の処理も併せて行うことが好ましい。
【００２７】
一方、割り込まれたジョブの残量が所定量未満の場合、当該割り込まれたジョブは中断せずにそのまま最後まで実行された後、上記第１の割り込みジョブが実行されるので、より現実的なジョブの実行が行われる。
【００２８】
以上より、割り込みジョブを受け付けた際に、割り込まれたジョブの停止（中断）と、割り込みジョブの実行の開始とがシーケンシャルに行われていた従来技術と比較して、上記画像処理装置によれば、第１の割り込みジョブに係る原稿画像の読み込み処理が行えると共に、この原稿画像の読み込み処理の終了までの間に割り込まれたジョブの継続実行と他の実行可能な必要処理とが行えるので、割り込まれたジョブ（割り込み前に実行中であったジョブ）の実行再開までの待機時間を短縮できると共に、画像処理装置の稼働効率を著しく向上させることが可能となる。また、割り込まれたジョブは、そのジョブ残量に応じた処理が行われるので、より現実的な処理がなされることになる。しかも、割り込みジョブも含めた全てのジョブの終了までに要する時間を確実に短縮できる。加えて、割り込まれたジョブの残量に応じて、より現実的なジョブの実行が可能となる。
【００２９】
上記何れの画像処理装置においても、上記第１及び第２の割り込みジョブは、記録媒体に画像を形成する印刷処理をさらに含んでいることが好ましい。
【００３０】
上記第１及び第２の割り込みジョブの実行を開始すべき旨の割り込み指令は、タッチパネルに表示される表示上のキーを介して行い、上記割り込みジョブが実行可能な状態であるときのみ表示されるようになっていることが好ましい。
【００３１】
この場合、割り込みキーをタッチパネルによる表示上のキー（ソフトキー）として表示するので、割り込みキーをハードキーとして操作パネルに設ける必要がなくな。それゆえ、操作パネルを小型化することが可能になるとともに、操作パネルの部品点数を少なくすることができ、操作パネルの構成をより簡素化することができる。
【００３２】
本発明に係る画像処理方法としては、以上のように、画像の処理に係る複数ジョブを順次実行し、実行中又は待機中のジョブに対して原稿画像の読み込み処理を含んだ割り込みジョブの実行が可能な画像処理方法において、実行中又は待機中の上記ジョブに対して原稿画像の読み込み処理を含んだ第１の割り込みジョブの実行を開始すべき旨の登録を行うと、上記第１の割り込みジョブに係る原稿画像の読み込み処理が終了するまで、原稿画像の読み込み処理を含んだ第２の割り込みジョブの原稿画像の読み込み処理の開始を行うべき旨の登録ができないようにジョブを制御することが好ましい。
【００３３】
本発明に係る他の画像処理方法としては、以上のように、画像の処理に係る複数ジョブを順次実行し、実行中のジョブと次に実行すべきジョブとの間で原稿画像の読み込み処理を含んだ割り込みジョブの実行が可能な画像処理方法において、実行中の上記ジョブに対して原稿画像の読み込み処理を含んだ第１の割り込みジョブの実行を開始すべき旨の登録を行うと、実行中の上記ジョブの残量が所定量未満の場合、該ジョブの終了後に上記第１の割り込みジョブを実行する一方、上記残量が上記所定量以上の場合に上記第１の割り込みジョブを実行すると共に、上記第１の割り込みジョブの原稿画像の読み込み処理が終了するまで、原稿画像の読み込み処理を含んだ第２の割り込みジョブの原稿画像の読み込み処理の開始を行うべき旨の登録ができないようにジョブを制御することが好ましい。
【００３４】
【発明の実施の形態】
本実施の形態に係る複合型画像処理装置は、本発明に係る画像処理装置の一例を示すものであり、図１〜図２３を参照しながら、以下に説明する。
【００３５】
上記の複合型画像処理装置は、図１に示すように、操作パネル１と、キー入力コントローラ６と、液晶ディスプレイ表示用コントローラ７と、制御部８と、記憶部９と、スキャナ部１０と、印刷部１１と、後処理部１２と、インターフェイス（Ｉ／Ｆ）部１３と、モデム１５とを備えている。
【００３６】
この画像処理装置は、コピー機能、プリンタ機能、ＦＡＸ送信機能、ＦＡＸ受信機能、電子メール送信機能を備える複合機となっている。前の４つの機能については、複写機、プリンタ、ＦＡＸ送信機、およびＦＡＸ受信機と同様の機能である。一方、電子メール送信機能は、スキャナ部１０で読み取った画像を電子メールとしてモデム１５から送信する機能である。
【００３７】
操作パネル１は、ユーザが押したときにそれぞれ固有の指示信号を後述するキー入力コントローラ６に送るハードキー群２と、ソフトキー群を表示するタッチパネル３とを有している。タッチパネル３は、表示手段および入力手段を兼ねるものであり、画像処理装置本体を操作するための情報を表示するとともに画像処理装置本体を操作するための複数のキーを表示し、これらキーの１つの表示位置にユーザが触れたときに触れられたキーに応じた指示信号を後述するキー入力コントローラ６に送るようになっている。以下、タッチパネル３により実現される表示上のキーを、適宜、ソフトキーと称する。また、タッチパネル３は、透明タッチパネル４と液晶ディスプレイ（以下、ＬＣＤと略記する）５とからなる。このＬＣＤ５は、小型化、低消費電力、高解像度などの点から採用されている。
【００３８】
ハードキー群２およびタッチパネル３は、キー入力コントローラ６に接続されている一方、ＬＣＤ５はＬＣＤ表示用コントローラ７に接続されている。なお、操作パネル１の具体的な機能については、後述する。
【００３９】
キー入力コントローラ６は、ハードキー群２や透明タッチパネル４から入力される指示信号（キー入力信号やキー操作信号）を上記制御部８に出力するものである。ＬＣＤ表示用コントローラ７は、制御部８の指令に基づいて表示すべき内容に対応した表示信号（表示用データ）をＬＣＤ５に出力し、ＬＣＤ５の画面に表示用データに基づいた画像を表示させるようになっている。
【００４０】
キー入力コントローラ６とＬＣＤ表示用コントローラ７とは、合わせて、入力・表示装置であるハードキー群２およびタッチパネル３を制御する入力・表示制御手段を構成している。したがって、これらのコントローラ６・７は、ハードキー群２およびタッチパネル３から入力される入力情報を画像処理装置本体（制御部８）に出力し、画像処理装置本体で処理された上で再びハードキー群２およびタッチパネル３に出力される各種情報を受け、この各種情報に基づいてＬＣＤ５の表示を制御するようになっている。
【００４１】
上記制御部８は、上記操作パネル１において操作されたキーに対応した機能を実行したり、操作されたキーに対応してＬＣＤ５の画面に画像を表示する。また、上記制御部８は、上記スキャナ部１０、印刷部１１、及び後処理部１２等と通信し、これらを制御する。
【００４２】
上記の記憶部９は、ＲＯＭ(Read-Only Memory)９ａおよびＲＡＭ(Random Access Memory)９ｂからなっている。ＲＯＭ９ａには、表示用プログラム、座標変換プログラム、キー入力処理プログラム、機能実行プログラムなどのプログラムが記憶されている。また、ＲＡＭ９ｂには、アイコン画像用メモリ、表示画像用メモリ、処理条件用メモリなどの記憶領域が含まれている。
【００４３】
上記スキャナ部１０は、原稿から画像情報を読み取って画像データを生成し、画像データをＲＡＭ９ｂに一時的に格納させるものである。このスキャナ部１０の具体的な構成は、特に限定されるものではない。該画像データは、制御部８の制御によって図示しない画像処理部により適宜画像処理された上で、印刷部１１に出力される。
【００４４】
上記印刷部１１は、ＲＡＭ９ｂから読み出した画像データに基づいて紙等の記録材上に画像の形成（印刷）を行うものである。印刷部１１の具体的な構成は、特に限定されるものではない。
【００４５】
上記の後処理部１２は、印刷部１１で印刷された紙等の記録材に対して例えば、ステープル処理、パンチング処理、あるいは製本処理などの後処理を実施するものである。後処理の具体的な種類については、画像処理装置の使用条件によって適宜選択される。
【００４６】
上記インターフェイス部１３は、情報端末であるパーソナルコンピュータ（以下、ＰＣと略記する）１４とローカルエリアネットワーク（ＬＡＮ）などのネットワークで接続されており、ＰＣ１４との間にデータを送受信できるようになっている。インターフェイス部１３は、予め作成された印刷ジョブ用のデータや電子メール送信ジョブ用のデータなどをＰＣ１４から受信し、ＲＡＭ９ｂに一時的に格納させるようになっている。
【００４７】
上記モデム１５は、画像処理装置本体と外部の電話回線とを接続するものである。モデム１５は、ＦＡＸ送信時には、ＲＯＭ９ａから画像データを読み出して該画像データをアナログ信号に変換した後、アナログ信号を電話回線を通して外部のＦＡＸ受信機へ送信するようになっている。また、モデム１５は、ＦＡＸ受信時に、外部のＦＡＸ送信機から電話回線を通してアナログ信号を受信し、受信したアナログ信号を画像データに変換して、ＲＡＭ９ｂに一時的に格納させるようになっている。
【００４８】
さらに、モデム１５は、ＰＰＰ（ポイント・ツー・ポイント・プロトコル）等の通信プロトコルを用いて、電話回線を通じてインターネット等のネットワークに接続できるようになっている。また、モデム１５は、電子メール転送プロトコル（ＳＭＴＰ）等のメール送信プロトコルを用いて電話回線およびネットワークを通じて相手先へ電子メールを送信できるようになっている。
【００４９】
上記制御部８は、操作パネル１からの指示に基づき、操作パネル１の操作されたキー（ハードキー群２およびソフトキー群の１つ）に対応した機能を実行したり、操作されたキーに対応してＬＣＤ５の画面に画像を表示する。また、制御部８は、スキャナ部１０、印刷部１１、後処理部１２などと通信してこれらを制御する。
【００５０】
上記制御部８は、操作パネル１からの指示に基づいて、スキャナ部１０、印刷部１１、後処理部１２、インターフェイス部１３、モデム１５などを制御することにより、複数のジョブを実行可能になっている。
【００５１】
上記制御部８は、（１）外部のＰＣ１４からインターフェイス部１３を介して画像処理装置本体に入力されて一時的にＲＡＭ９ｂに格納された印刷用のデータに基づく画像の形成を印刷部１１に行わせる印刷ジョブ（以下、ＰＣ印刷ジョブと称する）、（２）ＦＡＸ受信時に、モデム１５から出力されて一時的にＲＡＭ９ｂに格納された画像データに基づく画像の形成を印刷部１１に行わせる印刷ジョブ（以下、受信ＦＡＸ印刷ジョブと称する）、（３）スキャナ部１０から出力されてＲＡＭ９ｂに一時的に格納された原稿画像データに基づく画像の形成を印刷部１１に行わせるジョブ（以下、コピージョブと称する）、（４）スキャナ部１０から出力されてＲＡＭ９ｂに一時的に格納された原稿画像データを、モデム１５から電話回線およびネットワークを通して相手先のコンピュータへ電子メールとして送信させるジョブ（以下、電子メール送信ジョブと称する）、および、（５）スキャナ部１０から出力されてＲＡＭ９ｂに一時的に格納された原稿画像データを、モデム１５でアナログ信号に変換した後、電話回線へＦＡＸ送信させるジョブ（以下、ＦＡＸ送信ジョブと称する）を実行可能である。
【００５２】
上記制御部８は、これら各種のジョブを実行する指示を複数、操作パネル１から受け取り、指示された各ジョブに関する情報をＲＡＭ９ｂに格納して管理することができるようになっている。また、制御部８は、ＲＡＭ９ｂに格納したジョブに関する情報に基づいて、指示された各ジョブを順次実行するようになっており、通常、操作パネル１から指示を受けとった順に各ジョブを実行する。
【００５３】
なお、上記制御部８によって実行されるジョブの種類は、上述した５種類のジョブに限定されるものではない。例えば、上記制御部８は、上述した５種類のジョブに加えて、スキャナ部１０から出力されてＲＡＭ９ｂに一時的に格納された原稿画像データを、モデム１５から電話回線およびネットワークを通して相手先のコンピュータへ、画像ファイルとしてファイル転送プロトコル（ＦＴＰ）を用いて転送するＦＴＰ送信ジョブ（SCAN TO FTP ジョブ）を実行可能であってもよい。
【００５４】
本実施の形態にかかる操作パネル１は、画像処理装置の上記スキャナ部１０側に備えられており、図２に示すように、ハードキー群２とタッチパネル３とを備えている。
【００５５】
ハードキー群２は、スタートキー２０、テンキー２１、クリアキー２２、オールクリアキー２３、および条件キー群２４を含んでいる。
【００５６】
上記スタートキー２０は、前記タッチパネル３の画面に表示された条件で画像処理装置の動作を開始するためのキーである。上記テンキー２１は、上記タッチパネル３のコピー数表示部（図示しない）に表示されるコピー設定数などの設定値の置数（数の入力）を行うためのキーである。上記クリアキー２２は、上記テンキー２１で置数した設定値をゼロにしたり、直前の入力値を取り消したりするためのキーである。上記オールクリアキー２３は、上記タッチパネル３の表示内容をデフォルト画面に戻したり、画像処理装置が動作中であれば、その動作を中止させたりするキーである。
【００５７】
上記の条件キー群２４は、プリントモードキー２５、スキャンモードキー２６、コピーモードキー２７、およびジョブステータスキー２８からなっている。
【００５８】
上記プリントモードキー２５は、押すことで印刷機能、例えば、ＰＣ印刷ジョブや受信ＦＡＸ印刷ジョブを実行することが可能なプリントモードに画像処理装置の動作モードを切り換えるためのキーである。ＰＣ印刷ジョブや受信ＦＡＸ印刷ジョブは、ユーザがプリントモードキー２５を押した後、プリントモード画面にて各種の設定を行い、最後にスタートキー２０を押すことによって、実行指示される。
【００５９】
上記スキャンモードキー２６は、スキャナ部１０（図１参照）を動作させてスキャナ部１０で原稿の画像情報を読み取らせるとともに画像データを生成して前記モデム１５（図１参照）から電話回線を介して外部へ送信させるスキャン機能、例えば、ＦＡＸ送信ジョブ、電子メール送信ジョブなどを実行することが可能なスキャンモードに画像処理装置本体のモードを切り換えるためのキーである。ＦＡＸ送信ジョブや電子メール送信ジョブなどは、ユーザが上記スキャンモードキー２６を押した後、スキャンモード画面にて各種の設定を行い、最後に上記スタートキー２０を押すことによって、実行指示される。
【００６０】
上記コピーモードキー２７は、押すことでコピー機能、例えば、コピージョブを実行することが可能なコピーモードに画像処理装置本体の動作モードを切り換えるためのキーである。コピージョブは、ユーザが上記コピーモードキー２７を押した後、コピーモード画面にて各種の設定を行い、最後に上記スタートキー２０を押すことで、実行指示される。
【００６１】
上記ジョブステータスキー２８は、後述する各種ジョブの進行状況（ジョブステータス）等を示すジョブリストを上記タッチパネル３の画面に表示させるためのキーである。
【００６２】
上記の条件キー群２４においては、プリントモードキー２５に近接して、オンライン(ON LINE) ランプ７０およびデータ(DATA)ランプ７１が設けられている。オンラインランプ７０は、プリントモードにおいて、外部のＰＣ１４との接続がオンライン状態にあるか否かを点灯／非点灯により示すものである。データランプ７１は、外部のＰＣ１４からデータが転送されたかを否かを点灯／非点灯により示すものである。同様に、スキャンモードキー２６に近接して、ライン(LINE)ランプ７２およびデータ(DATA)ランプ７３が設けられている。ラインランプ７２は、スキャンモードにおいて、上記モデム１５が電話回線と接続した状態にあるか否かを点灯／非点灯により示すものである。データランプ７３は、外部から電話回線を介して送信されたデータがモデム１５で読み込まれたか否かを点灯／非点灯により示すものである。さらに、上記の条件キー群２４には、種々の条件を設定するためのカスタム設定キー７４も設けられている。
【００６３】
上記タッチパネル３の表示画面は、各種動作条件を表示するのに加えて、ソフトキー群として、ジョブリストの表示形式を変更するためのキー群と、割り込みジョブを登録するための割り込みキーとを表示するようになっている。さらに、タッチパネル３の表示画面は、ジョブステータスキー２８が押されると、実行中や待機中、完了済のジョブに関する情報（ジョブの内容や進行状況等）を、実行される順番にジョブリストとして一覧表示するようになっている（図３参照）。なお、上記タッチパネル３（表示部）は、小型化、低消費電力、高解像度などの点から液晶表示器が用いられている。
【００６４】
以下、ジョブステータスキー２８が押されたときのタッチパネル３の表示画面（以下、ジョブステータス画面と称する）について、具体例に基づいて説明する。なお、ここでは、割り込みキーによって指示される割り込み動作が、実行中の印刷ジョブ（受信ＦＡＸ印刷ジョブおよびＰＣ印刷ジョブ）を一旦中断させてコピージョブを実行させる場合について説明する。
【００６５】
まず、図３に基づいて、ジョブステータス画面に表示されるソフトキー群について説明する。ただし、表示頁の切り換えキーについては後述する。
【００６６】
ジョブステータス画面の右端部には、表示切り換えキー３５の表示領域が確保されている。また、ジョブステータス画面の下端部には、後述するジョブリスト表示領域３７にリスト表示するジョブの種類を切り換えるための表示キーおよび割り込みキーが表示される機能ソフトキー領域３８となっている。また、ジョブステータス画面における、表示切り換えキー３５の表示領域および機能ソフトキー領域３８以外の領域は、ジョブをリスト表示するジョブリスト表示領域３７となっている。このジョブリスト表示領域３７については、後段で詳細に説明する。
【００６７】
表示切り換えキー３５は、ジョブリスト表示領域３７でのジョブリストの表示形式を、実行中および待機中のジョブをリスト表示する待機ジョブリスト表示（ジョブキュー(JOB QUEUE) 表示）と、すでに実行が完了したジョブのリストをリスト表示する完了ジョブリスト表示との間で切り換えるためのキーである。表示切り換えキー３５には、待機ジョブリスト表示を示す文字「待機(JOB QUEUE) 」と完了ジョブリスト表示を表す文字「完了(COMPLETE)」とが上下に表示されており、選択された表示形式に応じて一方の文字を網かけ表示するようになっている（図３では網かけ表示を矩形の枠で示している）。図３では、文字「待機」(JOB QUEUE) が矩形の枠で囲まれていることから明らかなように、待機ジョブリスト表示が選択された状態となっている。
【００６８】
機能ソフトキー領域３８では、図３に示すように、左側から、印刷（プリント）ジョブリスト表示キー３０、電子メール送信ジョブリスト表示キー３１、ＦＡＸ送信ジョブリスト表示キー３２、全ジョブリスト表示キー３３、および、後述する割り込みキー（割り込みコピーキー）３４がこの順で表示されている。キー３０〜３３は、いずれか１つが選択可能になっており、選択されたキーは他のキーの枠より太い枠で表示されるようになっている。
【００６９】
印刷ジョブリスト表示キー３０は、表示切り換えキー３５で待機ジョブリスト表示が選択されている場合には、全ての待機中または実行中の印刷ジョブを待機印刷ジョブリストとしてジョブリスト表示領域３７に表示させる一方、表示切り換えキー３５で完了ジョブ表示が選択されている場合には、実行が完了した印刷ジョブを完了印刷ジョブリストとしてジョブリスト表示領域３７に表示させるようになっている。
【００７０】
電子メール送信ジョブリスト表示キー３１は、表示切り換えキー３５で待機ジョブリスト表示が選択されている場合には待機中の電子メール送信ジョブを待機電子メール送信ジョブリストとしてジョブリスト表示領域３７に表示させる一方、表示切り換えキー３５で完了ジョブ表示が選択されている場合には、実行が完了した電子メール送信ジョブを完了電子メール送信ジョブリストとしてジョブリスト表示領域３７に表示させるようになっている。
【００７１】
ＦＡＸ送信ジョブリスト表示キー３２は、表示切り換えキー３５で待機ジョブリスト表示が選択されている場合には待機中のＦＡＸ送信ジョブを待機ＦＡＸ送信ジョブリストとしてジョブリスト表示領域３７に表示させる一方、表示切り換えキー３５で完了ジョブ表示が選択されている場合には、実行が完了したＦＡＸ送信ジョブを完了ＦＡＸ送信ジョブリストとしてジョブリスト表示領域３７に表示させるようになっている。
【００７２】
全ジョブリスト表示キー３３は、全ての種類のジョブを表示するためのキーであって、表示切り換えキー３５と組み合わせて使用される。全ジョブリスト表示キー３３は、表示切り換えキー３５で待機ジョブリスト表示が選択されている場合には待機中または実行中の全種類のジョブ（印刷ジョブ、コピージョブ、電子メール送信ジョブ、およびＦＡＸ送信ジョブ）を全待機ジョブリストとしてジョブリスト表示領域３７に表示させる一方、表示切り換えキー３５で完了ジョブリスト表示が選択されている場合には実行が完了した全種類のジョブ（印刷ジョブ、コピージョブ、電子メール送信ジョブ、およびＦＡＸ送信ジョブ）をジョブリスト表示領域３７に表示させるようになっている。
【００７３】
次に、ジョブリスト表示領域３７について、詳細に説明する。
【００７４】
ジョブリスト表示領域３７は、前述した４つのキー３０〜３３のうちのいずれが選択されたか、および、表示切り換えキー３５によって待機ジョブリスト表示と完了ジョブリスト表示とのいずれが選択されたかによって、ジョブリスト表示領域３７で８種類のジョブリスト（待機印刷ジョブリスト、完了印刷ジョブリスト、待機電子メール送信ジョブリスト、完了電子メール送信ジョブリスト、待機ＦＡＸ送信ジョブリスト、完了ＦＡＸ送信ジョブリスト、全待機ジョブリスト、および全完了ジョブリスト）の表示を行えるようになっている。
【００７５】
次に、これら８種類のジョブリストのうち、待機印刷ジョブリストについて図３ないし図５に基づいて説明する。
【００７６】
待機印刷ジョブリストは、図３〜図５のジョブステータス画面に示すように、表示切り換えキー３５によって待機ジョブリスト表示が選択され、かつ、印刷ジョブリスト表示キー３０が選択されたときに、ジョブリスト表示領域３７に表示される。待機印刷ジョブリストは、実行中および待機中の印刷ジョブ（ＰＣ印刷ジョブおよび受信ＦＡＸ印刷ジョブ）をリスト表示するものである。また、詳細については後述するが、割り込みコピージョブもこの待機印刷ジョブリストに表示されるようになっている。なお、図３および図４の待機印刷ジョブリストは、１つの実行中の印刷ジョブがあり、かつ、６つの待機中の印刷ジョブがある状態での待機印刷ジョブリストを示している。また、この場合、一度にジョブリスト表示領域３７に表示可能なジョブの数は４つであるので、待機印刷ジョブリストは２頁に分けて表示され、図３は１頁目、図４は２頁目を示している。一方、図５のジョブステータス画面は、実行中の印刷ジョブも待機中の印刷ジョブもない状態での待機印刷ジョブリストを示している。
【００７７】
待機印刷ジョブリストにおいて、最も左のカラム（列）は、図３および図４に示すように、優先処理順位（何番目に実行されるか）を示す番号カラムとなっており、上から、１、２、３…と各ジョブに対してナンバリングされている。以下、１、２、３、…とナンバリングされた各ジョブをジョブ１、ジョブ２、ジョブ３、…と呼ぶ。
【００７８】
待機印刷ジョブリストにおいては、まず、最も左のカラム（カラム、段、縦方向の並び）の順番の番号を示す番号カラムとなっており、上から、例えば、１、２、３、…と各ジョブに対してナンバリングされている。待機印刷ジョブリストにおいては、番号カラムの次（右隣）のカラムは、図３および図４に示すように、ジョブの種類を表すアイコンが表示されるアイコンカラムとなっている。割り込みコピージョブが実行されていない通常の状態では、待機印刷ジョブリストのアイコンカラムには、印刷ジョブの種類に応じて、ＰＣ印刷ジョブを表すＰＣ印刷アイコン、あるいは受信ＦＡＸ印刷ジョブを表す受信ＦＡＸ印刷アイコンのいずれかが表示される。図３の例では、ジョブ１、ジョブ２、ジョブ４がＰＣ印刷ジョブであり、ジョブ３が受信ＦＡＸ印刷ジョブであるため、破線内に示すように、ジョブ１、２、４の行にＰＣ印刷アイコンが表示されている一方、ジョブ３の行に受信ＦＡＸ印刷アイコンが表示されている。
【００７９】
待機印刷ジョブリストにおいて、アイコンカラムの次の「ユーザ名／モード名(USER/MODE) 」と記されたカラムは、ユーザ名やモード名等を表示するユーザ名／モード名カラムである。待機印刷ジョブリストの場合、ユーザ名／モード名カラムでは、ＰＣ印刷ジョブの行にはユーザ名が、受信ＦＡＸ印刷ジョブの行には送信先のＦＡＸ番号またはその登録名が表示される。図３の例では、ＰＣ印刷ジョブであるジョブ１、２および４の行にはユーザ名が表示され、受信ＦＡＸ印刷ジョブであるジョブ３の行に送信先のＦＡＸ番号が表示されている。
【００８０】
待機印刷ジョブリストにおいて、ユーザ名／モード名カラムの次の「登録時刻(SET TIME)」と記されたカラムは、ジョブが待機印刷ジョブリストに登録された日時を表示する登録時刻カラムとなっている。本実施形態の登録時刻カラムでは、図３に示すように、左側に時刻を表示し、右側に日時を表示するようになっている。なお、画像処理装置の使用環境によっては、必ずしも日時の表示を必要としない場合もある。
【００８１】
待機印刷ジョブリストにおいて、登録時刻カラムの次の「頁数(SETS)」と記されたカラムは、実行が完了した頁数、および、ジョブの総頁数（実行が完了した頁数と待機中の頁数との合計）を表示する頁数カラム（ジョブ量カラム）となっている。例えば、図３の例では、左側と右側にそれぞれ最大３桁の数字（より具体的には、本実施形態の頁数カラムでは、図３に示すように、実行が完了した頁数およびジョブの総頁数がそれぞれ、左側および右側に上位の０を含めて３桁の数字）で表示され、各数字の間にスラッシュが表示されるようになっている。実行される前の待機中のジョブでは全て、左側の数字（実行が完了した頁数）が“０００”となっている。例えば、図３のジョブ２では、この時点でジョブ１が実行されているために全ての頁が待機中となっているので、左側の数字（実行が完了した頁数）は“０００”となっている。また、ジョブ２は、７頁の印刷を実行するジョブであるので、右側の数字（ジョブの総頁数）は“００７”となっている。一方、図３の時点で実行中のジョブ１は、１５頁の印刷を実行するジョブであるので、右側の数字は“０１５”となっている。また、この時点では、ジョブ１の５頁の印刷が完了しているので、左側の数字は“００５”となっている。
【００８２】
待機印刷ジョブリストにおいて、頁数カラム（ジョブ量カラム）の次の「進行状況(STATUS)」と記されたカラムは、ジョブが現在実行されている状態にあるか、待機状態にあるかを示す進行状況カラムになっており、図３および図４に示すように、現在実行されているジョブ１の行には「実行中(JOBBING) 」の文字が表示される一方、待機状態にあるジョブ２以降の行には「待機中(WAITING) 」の文字が表示されるようになっている。なお、この進行状況カラムは、他のカラムで進行状況を表示する場合には設ける必要はない。他のカラムで進行状況を表示する方法としては、例えば、番号カラムに表示されている番号のうち実行中のジョブの番号だけを点滅させる方法や、実行中のジョブの行と待機中のジョブの行とで文字色を変える方法、実行中のジョブを表す行（カラムと直交する横方向の並び）の全体を反転表示させる方法等が考えられる。
【００８３】
待機印刷ジョブリストにおいて、ジョブリストの最も右側で、表示切り換えキー３５の領域に隣接する位置には、図３および図４に示すように、ジョブリストの表示頁番号および総頁数と、ジョブリストの表示頁を切り換えるための表示頁切り換えキー３６とが表示されている。ジョブリストの表示頁番号とは、ジョブリストの総頁のうち現在表示されている頁が何頁目に当たるかを表すものである。ジョブリストの表示頁番号および総頁数は、「（表示頁番号）／（総頁数）」という形式で表示される。例えば、図３では、総頁数２頁のうちの１頁目が表示されているので、「１／２」と表示されている。一方、図４では、総頁数２頁のうちの２頁目が表示されているので、「２／２」と表示されている。
【００８４】
本実施形態では、表示頁切り換えキー３６は、図３および図４に示すように、前の頁を表示するように表示を切り換えるためのアップキー３６ａと、次の頁を表示するように表示を切り換えるためのダウンキー３６ｂとが上下に配置された構成となっている。この表示頁切り換えキー３６では、アップキー３６ａは上方向を向いている矢印キーであり、ダウンキー３６ｂは下方向に向いている矢印キーである。
【００８５】
アップキー３６ａは、有効であるとき、すなわち前頁が存在するときには通常の濃度（例えば、黒色）で表示される一方、無効であるとき、すなわち前頁が存在しないときには淡色（例えば、灰色）で表示される。同様に、ダウンキー３６ｂは、有効（操作可能）であるとき、すなわち次頁が存在するときには通常の濃度（例えば、黒色）で表示される一方、無効（操作不能）であるとき、すなわち次頁が存在しないときには、淡色（例えば、灰色）で表示される。
【００８６】
このように無効であるキーを淡色で表示することにより、そのキーが無効であることが利用者にとって分かり易くなる。例えば、図３に示すように、１頁目が表示されている場合には、前頁が存在しないので、アップキー３６ａが淡く表示され操作不能になる。また、１頁目を表示する際、２頁目以降がある場合には、ダウンキー３６ｂが通常の濃度で表示され操作可能になる。
【００８７】
一方、図４に示すように、２頁目が表示されると、逆に、アップキー３６ａが通常の濃度で表示され操作可能になる。また、この場合、２頁目が最終頁であり、次頁が存在しないので、ダウンキー３６ｂは淡く表示されて操作不能になる。もちろん、図３および図４の例では全頁数が２頁であるために、２頁目の表示でダウンキー３６ｂが淡く表示されるが、３頁以降が存在する場合には、２頁目の表示でもダウンキー３６ｂは淡く表示されず通常の濃度で表示され、操作可能になる。
【００８８】
次に、完了印刷ジョブリストについて図６に基づいて説明する。
【００８９】
完了印刷ジョブリストは、図３〜図５の状態で表示切り換えキー３５を操作することで表示される。すなわち、完了印刷ジョブリストは、図６のジョブステータス画面に示すように、表示切り換えキー３５によって完了ジョブリスト表示が選択され（網かけ表示され）、かつ、印刷ジョブリスト表示キー３０が選択されたときに、ジョブリスト表示領域３７に表示される。
【００９０】
完了印刷ジョブリストは、実行が完了したジョブ（ＰＣ印刷ジョブ、受信ＦＡＸ印刷ジョブ、または割り込みコピージョブ）を表示する点以外は、ほぼ待機印刷ジョブリストと同じである。ただし、完了印刷ジョブリストでは、番号カラムには番号が表示されない。また、完了印刷ジョブリストでは、進行状況カラムに、完了を表す文字“ＯＫ”が表示されるようになっている。
【００９１】
上記割り込みキー３４は、現在実行中のジョブを一時中断して、別のジョブの実行を許容するためのものであり、実行中のジョブや印刷待機ジョブがあるときだけ表示されるようになっている。したがって、図３に示すような１頁目の表示から図４に示すような２頁目の表示に切り換わったとしても、待機ジョブがあれば必ず表示される。一方、図５に示すように、実行中のジョブも待機ジョブも無い場合には表示されない。
【００９２】
次に、待機電子メール送信ジョブリストについて図７に基づいて説明する。
【００９３】
待機電子メール送信ジョブリストは、図３及び図４の状態で電子メール送信ジョブリスト表示キー３１に切り換えることにより表示される。すなわち、待機電子メール送信ジョブリストは、図７のジョブステータス画面に示すように、表示切り換えキー３５によって待機ジョブリスト表示が選択され、かつ、電子メール送信ジョブリスト表示キー３１が選択されたときに、ジョブリスト表示領域３７に表示される。
【００９４】
このとき、表示される待機電子メール送信ジョブリストは、表示される待機ジョブの種類が電子メール送信ジョブである点以外は図３及び図４に示した待機印刷ジョブリストとほぼ同様である。まず、待機電子メール送信ジョブリストでは、最も左のカラムから、番号カラム、アイコンカラム、ユーザ名／モード名カラム、登録時刻カラム、頁数カラム（ジョブ量カラム）、および進行状況カラムが表示されている。ただし、この場合、アイコンカラムには、電子メール送信ジョブを示すアイコンが表示されている。また、ユーザ名／モード名カラムには、送信先の電子メールアドレスが表示されている。また、図７の例では、実行中または待機中のジョブが２つしかなく、表示するジョブが１頁分しかないので、表示頁の切り換えキー３６は、アップキー３６ａおよびダウンキー３６ｂの何れも淡い表示となっており、操作不能になっている。
【００９５】
なお、完了電子メール送信ジョブリストは、図７の状態で表示切り換えキー３５によって完了ジョブリスト表示に切り換えたときに表示されるものである。完了電子メール送信ジョブリストは、図示しないが、実行が完了したジョブを表示する点以外は、ほぼ待機電子メール送信ジョブリストと同じである。ただし、完了電子メール送信ジョブリストでは、進行状況カラムに、完了を表す文字“ＯＫ”が表示されるようになっている。
【００９６】
次に、待機ＦＡＸ送信ジョブリストについて図８に基づいて説明する。
【００９７】
待機ＦＡＸ送信ジョブリストは、図３および図４のように印刷ジョブリスト表示キー３０が選択された状態や、図７のようにSCAN TO E-mailジョブリスト表示キー３１が選択された状態で、ＦＡＸ送信ジョブリスト表示キー３２に切り換えることにより表示される。すなわち、待機ＦＡＸ送信ジョブリストは、図８のジョブステータス画面に示すように、表示切り換えキー３５によって待機ジョブリスト表示が選択され、かつ、ＦＡＸ送信ジョブリスト表示キー３２が選択されたときに、ジョブリスト表示領域３７に表示される。
【００９８】
このとき、表示される待機ＦＡＸ送信ジョブリストは、表示される待機ジョブの種類がＦＡＸ送信ジョブである点以外は図３〜図５に示した待機印刷ジョブリストとほぼ同様である。ただし、アイコンカラムには、ＦＡＸ送信ジョブを示すアイコンが表示されている。また、ユーザ名／モード名カラムには、送信先のＦＡＸ番号が表示されている。
【００９９】
なお、完了ＦＡＸ送信ジョブリストは、図８の状態で表示切り換えキー３５によって完了ジョブリスト表示に切り換えたときに表示されるものである。完了ＦＡＸ送信ジョブリストは、図示しないが、実行が完了したジョブを表示する点以外は、ほぼ待機ＦＡＸ送信ジョブリストと同じである。ただし、完了ＦＡＸ送信ジョブリストでは、進行状況カラムに、完了を表す文字“ＯＫ”が表示されるようになっている。
【０１００】
また、全待機ジョブリストは、表示切り換えキー３５によって待機ジョブリスト表示が選択され、かつ、全ジョブリスト表示キー３３が選択されたときに、ジョブリスト表示領域３７に表示されるものである。全待機ジョブリストは、図示しないが、待機印刷ジョブリスト、待機待機電子メール送信ジョブリスト、および待機ＦＡＸ送信ジョブリストを足し合わせたものである。
【０１０１】
さらに、全完了ジョブリストは、表示切り換えキー３５によって完了ジョブリスト表示が選択され、かつ、全ジョブリスト表示キー３３が選択されたときに、ジョブリスト表示領域３７に表示されるものである。全完了ジョブリストは、図示しないが、完了印刷ジョブリスト、完了待機電子メール送信ジョブリスト、および完了ＦＡＸ送信ジョブリストを足し合わせたものである。
【０１０２】
なお、ジョブリストの表示形式は、上述した例に限定されるものではない。例えば、上述した例では待機ジョブリスト表示と完了ジョブリスト表示とを切り換えるようになっていたが、待機ジョブと完了ジョブとの両方をリスト表示するようにしてもよい。その場合、通常は実行中のジョブを先頭行に表示し、アップキー３６ａを押したときに完了ジョブを表示するようにすると、ジョブの実行状況がユーザに分かり易くなる。また、上述した例ではジョブリストを頁単位でスクロール表示するようになっていたが、ジョブ単位でスクロール表示するようにしてもよい。
【０１０３】
次に、本発明の割り込みキー３４について説明する。
【０１０４】
機能ソフトキー領域３８には、図３に示すように、キー３０〜３３から少し間隔を開けて、割り込みキーが表示されるようになっている。この割り込みキー３４は、現在実行中の印刷ジョブを一時中断して、コピージョブの実行を許容するためのキーである。割り込みキー３４は、常に表示されるのではなく、印刷ジョブに対するコピージョブの割り込みが可能な状態であるときだけ、すなわち、実行中のジョブおよび待機中のジョブの少なくとも一方があるときだけ表示されるようになっている。
【０１０５】
したがって、図３および図４に示すジョブステータス画面の例のように実行中の印刷ジョブ（ジョブ１）や待機中の印刷ジョブ（ジョブ２〜７）があり、印刷割り込みが可能な状態である場合には、割り込みキー３４は、図３に示すような１頁目を表示している状態であっても図４に示すような２頁目の表示に切り換わった状態であっても必ず表示される。一方、図５に示すジョブステータス画面のように、実行中の印刷ジョブも待機中の印刷ジョブもなく、印刷割り込みが不可能な状態である場合には、割り込みキー３４が表示されない。
【０１０６】
上述した本実施形態の画像処理装置の操作パネル１において、図３に示す待機印刷ジョブリストが表示されている状態で、割り込みキー３４を操作してコピーを割り込みで実行すると、割り込みが受け付けられ、割り込みキー３４が非表示となる。また、この時、割り込みキー３４を割り込みが指示される前とは異なる表示形態で表示してもよい。その後、図３に示すジョブステータス画面は、図９に示すジョブステータス画面３９のように変化する。すなわち、図３に示す待機印刷ジョブリストの１行目に割り込みコピージョブが挿入され、他のジョブは一行下げて表示される。
【０１０７】
割り込みコピージョブが挿入された後の待機印刷ジョブリストは、図３に示す待機印刷ジョブリストと基本的には同様である。ただし、割り込みコピージョブの行では、割り込みを表す文字“ＩＮ”を番号カラムに表示するとともに、コピージョブを表すコピージョブアイコンをアイコンカラムに表示するようになっている。また、割り込みコピージョブではユーザ名が入力されないので、割り込みコピージョブの行のユーザ名／モード名カラムにはユーザ名に代えてコピーのモード名が表示される。さらに、コピージョブの場合には画像読み込み動作が完了するまではジョブの総頁数が不明であるので、割り込みコピージョブの行のジョブの総頁数は不明であることを表す記号“### ”が表示される。また、割り込みコピージョブの行の進行状況カラムでは、原稿画像の読み込み動作を開始した後、印刷を開始するまでは、「実行中」の文字に代えて「読込中(SCANNING)」の文字を表示するようになっている。
【０１０８】
また、このとき、割り込みコピージョブの画像読み込み動作が開始される。この場合には、自動原稿搬送装置１６にセットした原稿の画像をスキャナ部１０により読み取る動作が開始される。ただし、この時点では、割り込みコピージョブの印刷動作が実行されるまでは、割り込みキー３４を操作した時点で実行されていた印刷ジョブ（図３および図９では、ユーザ名が“OKAMOTO ”のジョブ１）はそのまま継続して実行される。
【０１０９】
タッチパネル３の表示画面には、図９に示すジョブステータス画面３９が表示された後、所定時間経過すると、図１０に示すように、ジョブステータス画面３９に重なるようにしてコピーモード画面４０が表示される。なお、このとき、コピーモード画面４０は、ユーザ名／モード名カラムを含む図９のジョブステータス画面３９の大部分に重なるように表示されるが、待機印刷ジョブリストの番号カラム、アイコンカラム、およびユーザ名／モード名カラムの一部は、コピーモード画面４０に隠れずに表示されたままである。
【０１１０】
コピーモード画面４０では、図１０に示すように、画像処理装置の外観図４７が中央に表示されている。外観図４７には、原稿をセットすべき位置、すなわち、自動原稿搬送装置１６が黒塗りの逆三角形で表示されるようになっている。また、コピーモード画面４０の上端部には、「割込コピーできます。条件の入力又は原稿をセットして下さい。」というメッセージが表示される。
【０１１１】
また、このメッセージの右端部、すなわちコピーモード画面４０における右上端部には、コピー枚数を表す数字、この場合、１枚を表す「１」という数字が表示される。
【０１１２】
また、コピーモード画面４０の左端部には、特別機能キー４１、片面コピー／両面コピー切り換えキー４２、および出力キー４３などのコピー機能キーがデフォルトの状態で表示される。例えば、片面コピー／両面コピー切り換えキー４２では、デフォルトの状態が片面コピーとなっている。
【０１１３】
さらに、コピーモード画面４０の右端部には、露光条件キー４４、用紙選択キー４５、およびコピー倍率キー４６等のコピー条件キーが表示され、これらキー４４〜４６にはキーの種類を表す文字に加えて現時点での条件（露光条件、選択用紙、およびコピー倍率）も合わせて表示される。例えば、図１０では、各条件がデフォルト値に設定されており、露光条件は自動露光調節、選択用紙は自動給紙（給紙ユニット１７による給紙）のＡ４サイズ用紙、コピー倍率は１００％となっている。
【０１１４】
ここで、図１０のコピーモード画面４０において、条件キーのうち用紙選択キー４５を操作すると、コピーモード画面４０は、図１１に示すように、選択用紙を設定する（用紙選択条件を設定する）ためのコピーモード画面に切り換わる。このコピーモード画面は、キー４１〜４３および外観図４７に代えて選択用紙を設定するためのキーを表示するものである。
【０１１５】
例えば画像処理装置の給紙ユニット１７に３つの用紙カセットが縦並びで装着されている場合、このコピーモード画面は、図１１に示すコピーモード画面５０のようになる。すなわち、キー４１〜４３および外観図４７に代えて、用紙カセットの位置に対応して、上側の用紙カセットを選択するための用紙カセット選択キー５１、真ん中の用紙カセットを選択するための用紙カセット選択キー５２、および下側の用紙カセットを選択するための用紙カセット選択キー５３が上からこの順で表示される。
【０１１６】
また、用紙カセット選択キー５１〜５３自体には用紙サイズ等が表示されるようになっており、この場合、それぞれ「１．Ｂ５  縦」、「２．Ａ３  縦」、「３．Ａ４  横」と表示されている。また、用紙カセット選択キー５１〜５３の横には、どのような種類の用紙がセットされているかが表示されるようになっており、図１１では「普通紙」と表示されている。また、図１１では、「３．Ａ４  横」と表示されている用紙カセット選択キー５３が選択された状態となっており、用紙カセット選択キー５３の枠が太く表示されている。
【０１１７】
また、図１０のコピーモード画面４０において「片面コピー」と表示されている片面コピー／両面コピー切り換えキー４２を操作すると、コピー条件が、図１２に示すように両面コピーに切り換わる。この片面コピー／両面コピー切り換えキー４２は、操作する度に片面コピーと両面コピーとが切り換わるようになっている。
【０１１８】
ユーザが、図１０のコピーモード画面４０において上述したように諸条件を入力して条件の設定を完了した後、図２に示す操作パネル１におけるスタートキー２０を操作すると、スキャナ部１０による原稿の読み込みが開始されるとともに、図１３に示すようにコピーモード画面４０の上端部に「割込コピーの読込中です。」というメッセージが表示される。
【０１１９】
なお、この場合は、設定された条件が、両面コピー、自動給紙のＡ３サイズ用紙、およびコピー倍率１００％（デフォルトの状態）である場合を示している。そして、スキャナ部１０による原稿画像の読み込みが完了すると、図１４に示すように、コピーモード画面４０の上端部に表示される上記のメッセージが「割込コピーの読込を完了しました」というメッセージに切り換わる。
【０１２０】
割り込みコピージョブによるスキャナ部１０の読み込みが完了すると、割り込み時点では実行中であったユーザ名が“OKAMOTO ”のジョブ１は、割り込みコピージョブによるスキャナ部１０の読み込みが完了した時点で、一旦中断される。すなわち、割り込みコピージョブによるスキャナ部１０の読み込みが完了するまでは、割り込み時点で実行されているジョブ１は継続されることになる。
【０１２１】
タッチパネル３では、上述した割り込みコピーのスキャナ部１０による読み込みが完了した旨のメッセージが表示される表示画面、すなわち図１４に示す表示画面が所定時間（数秒程度）表示された後は、コピーモード画面４０が消去され、図１５に示すように、図９のジョブステータス画面３９とほぼ同様のジョブステータス画面が再度表示される。そして、再び割り込みキー３４が表示される。この時点では、実行中であったジョブ１は中断しており、ＲＡＭ９ｂにおける印刷用の画像メモリ領域に格納されたジョブ１の画像データのうち、未印刷頁の画像データがＲＡＭ９ｂの他の記憶領域に待避されるとともに、何頁目まで印刷したかがＲＡＭ９ｂに記憶される。
【０１２２】
以上のように、上記画像処理装置は、実行中のジョブ１に対して１番目の割り込みコピージョブの登録があった場合、上記制御部８により次のように制御処理される。すなわち、スキャナ部１０による１番目の割り込みコピージョブに係る原稿の読み込みが終了するまで、実行中の上記ジョブ１を継続して実行すると共に割り込みキー３４がＬＣＤ５に表示されなくなる。これにより、２番目の割り込みコピージョブの登録はできなくなる。
【０１２３】
このように、１番目の割り込みコピージョブが割り込みキー３４を介して登録されると、上記ジョブ１の継続実行と、上記１番目の割り込みコピージョブの原稿の読み込みとが並行して行われる。加えて、上記１番目の割り込みコピージョブの原稿の読み込みが終了すると、次の割り込みジョブである２番目の割り込みコピージョブの登録が可能となる。勿論、１番目の割り込みコピージョブの原稿の読み込みの際に実行可能な処理、例えば１番目の割り込みコピージョブに対して設定された条件どおりに印字できるように原稿の画像データを補正する等の処理も併せて行うことが好ましい。
【０１２４】
以上のように、上記ジョブ１（割り込まれたジョブ）の停止（中断）と、割り込みコピージョブの実行の開始とがシーケンシャルに行われていた従来技術と比較して、上記画像処理装置によれば、１番目の割り込みコピージョブに係る原稿の読み込みが行えると共に、この原稿読み込みの終了までの間に上記ジョブ１の継続実行と他の実行可能な必要処理とが行えるので、上記ジョブ１の実行再開までの待機時間を短縮できると共に、画像処理装置の稼働効率を著しく向上させることが可能となる。しかも、上記ジョブ１も含めた全てのジョブの終了までに要する時間を確実に短縮できる。それゆえ、複数の使用者（ユーザ）が個々に割り込み処理を行う場合でも各待機時間を低減できる。
【０１２５】
それから、１番目の割り込みコピージョブが開始され、そのときの割り込みコピージョブはジョブ１（図１５の COPY JOB1を参照）としてジョブリスト表示領域３７に表示される。ここで、上記の割り込みキー３４が上記ＬＣＤ５に表示され、次の割り込みジョブである２番目の割り込みコピージョブの登録が可能となる。
【０１２６】
しかし、１番目の割り込みコピージョブ（印刷ジョブ）が行われているときに、次の２番目の割り込みコピージョブの登録があった場合、１番目の割り込みコピージョブは中断されず、１番目の割り込みコピージョブが終了するまで継続される。これは、１番目の割り込みコピージョブを２番目の割り込みコピージョブ（待機ジョブ）に優先させて実行して、２番目の割り込みコピージョブが１番目の割り込みコピージョブに優先して実行されることを防ぐためである。
【０１２７】
一方、２番目の割り込みコピージョブは、先の１番目の割り込みコピージョブの印刷ジョブ中にスキャナ部１０の読み込みが行われ、スキャナ部１０の読み込みが終了すると、ジョブリスト表示領域３７の最上段に表示されると共に、２番目の割り込みコピージョブの読み込み完了時に、割り込みキー３４がＬＣＤ５に表示され、次の割り込みジョブ（３番目の割り込みコピージョブ）の登録が可能となる。１番目の割り込みコピージョブが終了すると、２番目の割り込みコピージョブの印刷ジョブが実行される。
【０１２８】
この場合、確実に１番目の割り込みコピージョブが次の２番目の割り込みコピージョブに優先して行われるので、時間的により早く割り込み登録した割り込みコピージョブが優先的に処理、実行される。しかも、１番目の割り込みコピージョブの実行中に、２番目の割り込みコピージョブに係る原稿が読み込まれるので、画像処理装置の稼働効率をより一層向上させることが可能となる。しかも、割り込みコピージョブも含めた全てのジョブの終了までに要する時間をより一層短縮できる。
【０１２９】
その後、割り込みコピージョブの印刷動作が完了すれば、完了した割り込みを図６に示すような完了ジョブリストに追加した後、図１６に示すように、ジョブリストを割り込み前の状態に回復して、中断していた当初ジョブ１である、ユーザ名が“OKAMOTO ”の印刷ジョブ（ジョブ１）を再開する。
【０１３０】
本実施形態の画像処理装置における一連の制御を図１７〜図２１のフローチャートに基づいて説明する。
【０１３１】
まず、図１７に示すように、実行中（進行中）のジョブおよび待機中のジョブの少なくとも一方があるか否かを判定する（Ｓ１）。実行中のジョブおよび待機中のジョブのいずれもないと判定された場合には、図５に示すようにジョブステータス画面のジョブリスト表示領域３７に待機印刷ジョブを表示せず、割り込みキー３４を表示させない（Ｓ２）。
【０１３２】
その後、ＦＡＸ受信（電話回線からモデム１５へのＦＡＸ信号の入力）があったか否かを判定する（Ｓ３）。Ｓ３でＦＡＸ受信があった場合には、モデム１５で受信したアナログ信号をデータに変換してＲＡＭ９ｂに格納するメモリ受信動作を行う（Ｓ４）。その後、ＲＡＭ９ｂに格納した受信ＦＡＸのデータを印刷部１１にて印刷するジョブを受信ＦＡＸ印刷ジョブとして待機印刷ジョブリストに登録し（Ｓ５）、Ｓ１に戻る。
【０１３３】
一方、Ｓ３でＦＡＸ受信がなかった場合には、ＰＣ１４から印刷ジョブを受け取ったか否か、すなわち、ＰＣ１４からインターフェイス部１３を介して印刷用のデータを受信したか否かを判定する（Ｓ６）。Ｓ６でＰＣ１４から印刷ジョブを受け取っていれば、ＰＣ１４から受信した印刷用のデータを印刷するジョブをＰＣ印刷ジョブとして待機印刷ジョブリストに登録し（Ｓ７）、Ｓ１に戻る。
【０１３４】
さらに、上記Ｓ６でＰＣ１４から印刷ジョブを受け取っていなければ、モードキー２５〜２７のいずれかが操作されたか否かを判定する（Ｓ８）。モードキー２５〜２７のいずれかが操作されていれば、対応するモード画面（例えば、図７に示すような待機電子メール送信ジョブリストを表示するジョブステータス画面や図８に示すような待機受信ＦＡＸ印刷ジョブリストを表示するジョブステータス画面など）をタッチパネル３に表示し（Ｓ９）、Ｓ１に戻る。
【０１３５】
さらに、上記Ｓ８でモードキー２５〜２７のいずれも操作されていなければ、表示されている何れかのモード画面の条件キー（例えば、図１０に示すコピーモード画面４０のキー４１〜４６）が操作されているか否かを判定する（Ｓ１０）。何れかの条件キーが操作されていれば、その条件キーに対応するモード画面で条件を表示し（Ｓ１１）、Ｓ１に戻る。
【０１３６】
さらに、上記Ｓ１０で何れのモード画面の条件キーも操作されていなければ、何れかのモード画面でスタートキー２０が操作されたか否かを判定する（Ｓ１２）。何れかのモード画面でスタートキー２０が操作されていれば、対応モードの動作を開始し（Ｓ１３）、Ｓ１に戻る。
【０１３７】
さらに、上記Ｓ１２でスタートキー２０が操作されていなければ、キー操作が無い状態で所定時間が経過したか否かを判定する（Ｓ１４）。Ｓ１４でキー操作が無い状態で所定時間が経過すると、待機時デフォルト画面を表示して（Ｓ１５）、Ｓ１に戻る。一方、上記Ｓ１４でキー操作が無い状態で所定時間が経過しなかった場合には、直接Ｓ１に戻る。
【０１３８】
Ｓ１で実行中のジョブおよび待機中のジョブの少なくとも一方があった場合、例えば、図３や図４に示すようにジョブステータス画面のジョブリスト表示領域３８に待機印刷ジョブをリスト表示させると共に、表示画面（ジョブステータス画面）に割り込みキー３４を表示させる（Ｓ１６）。そして、図１８に示すＳ１７に進み、Ｓ１７で割り込みキー３４が操作されたか否かを判定する。
【０１３９】
割り込みキー３４が操作されていなければ、実行中のジョブおよび待機中のジョブの少なくとも一方を有するモードで、そのジョブを実行する（Ｓ１８）。すなわち、実行中のジョブがあれば、そのジョブを実行し、実行中のジョブがなければ、待機中のジョブを実行する。ジョブを実行した後は、Ｓ１に戻る。
【０１４０】
Ｓ１７で割り込みキー３４が操作されていれば、割り込みキー３４を非表示とする（Ｓ１９）。あるいは、このとき、割り込みキー３４を異なる表示形態で表示画面に表示してもよい。次に、例えば図９に示すようにして、ジョブステータス画面の待機印刷ジョブリストに割り込みコピージョブを表示して、コピージョブの割り込み位置を表示する（Ｓ２０）。その後、所定時間が経過したか否かを判定する（Ｓ２１）。Ｓ２１で所定時間が経過していない場合は、経過するまでこのステップを繰り返す。所定時間が経過すると、例えば図１０に示すように、デフォルト値でコピーモード画面４０を表示する（Ｓ２２）。
【０１４１】
次に、図１９に示すＳ２３に進み、割り込みキャンセルタイマーの残り時間（Ｔｉ）を予め設定された値（ｔ１）に設定する。その後、図１０に示したようなメッセージ付きのコピーモード画面４０を表示し、条件の入力又は原稿のセットが必要であることをユーザに報知する（Ｓ２４）。さらに、割り込みキャンセルタイマーをスタートさせた（Ｓ２５）後、このタイマーがアップ、すなわち残り時間（Ｔｉ）が０になったか、あるいはオールクリアキー２３（ＡＣキー）が操作されたかを判定する（Ｓ２６）。Ｓ２６でタイマーがアップしたか、あるいはオールクリアキー２３が操作されていれば、割り込みモードを解除し（Ｓ２７）、Ｓ１７（図１８参照）に戻る。
【０１４２】
上記Ｓ２６で割り込みキャンセルタイマーがアップしておらず、かつ、オールクリアキー２３も操作されていなければ、スタートキー２０が操作されたか否かを判定する（Ｓ２８）。スタートキー２０が操作されていれば、原稿が有るか否かを判定する（Ｓ２９）。Ｓ２９で原稿がなければ、読み込み動作を中止した（Ｓ３０）後、原稿のセットが必要であることをユーザに報知し（Ｓ３１）、Ｓ２６に戻る。
【０１４３】
Ｓ２８でスタートキー２０が操作されていなければ、コピー条件キー（図１０に示すコピーモード画面４０のキー４１〜４６）が操作されたか否かを判定する（Ｓ３２）。Ｓ３２でコピー条件キーが操作されていれば、例えば図１１や図１２に示すように、操作されたコピー条件キーに対応する条件を表示した（Ｓ３３）、その後、Ｓ２６に戻る。
【０１４４】
また、Ｓ３２でコピー条件キーが操作されていなければ、テンキー２１が操作されたか否かを判定する（Ｓ３４）。Ｓ３４でテンキー２１が操作されていれば、テンキー２１で入力された数値をコピー設定数としてタッチパネル３のコピー数表示部に表示（置数）し（Ｓ３５）、Ｓ２６に戻る。
【０１４５】
さらに、Ｓ３４でテンキー２１が操作されていなければ、クリアキー２２（Ｃキー）が操作されたか否かを判定する（Ｓ３６）。Ｓ４１でクリアキー２２が操作されていれば、タッチパネル３のコピー数表示部に表示（置数）されたコピー枚数がクリア、すなわち０にされた（Ｓ３７）後に、Ｓ２６に戻る。一方、Ｓ３６でクリアキー２２が操作されていなければ、直接Ｓ２６に戻る。
【０１４６】
上記Ｓ２９で原稿があれば、図２０に示すＳ３８に進み、Ｓ３８でスキャナ部１０による原稿の読み込み動作が開始され、例えば図１３の表示画面のように読み込み動作中であることが表示される。そして、読み込み動作の開始後は、スキャナ部１０による全原稿の読み込みが完了したか否かを判定する（Ｓ３９）。読み込みが完了していなければ、原稿のジャム（詰まり）の有無を判定する（Ｓ４０）。Ｓ４０で原稿のジャムがなければ、Ｓ３９に戻る。
【０１４７】
一方、上記Ｓ４０で原稿のジャムがあれば、読み込み動作を中断し（Ｓ４１）、原稿のジャムが発生したこと、およびそのジャムを取り除くために必要な処理（ジャム処理）をユーザに報知する（Ｓ４２）。その後、ユーザによって原稿のジャムを取り除く処理（リカバリー）が完了したか否かを判定する（Ｓ４３）。原稿のジャムを取り除く処理が完了するまではＳ４３を繰り返すが、原稿のジャムを取り除く処理が完了すると、読み込み動作を再開して（Ｓ４４）、上記Ｓ３９に戻る。
【０１４８】
上記Ｓ３９で全原稿の読み込み動作が完了すれば、例えば図１４の表示画面のように読み込み動作が完了したことが表示され、現在実行中のジョブの残り枚数が所定枚数以下か否かが判定される（Ｓ４５）。
【０１４９】
上記Ｓ４５で現在実行中の印刷ジョブの残り枚数が所定枚数以上であれば、現在実行中の印刷ジョブを中断し（Ｓ４６）、現在実行中の印刷ジョブの進捗状況を記憶した（Ｓ４７）後、現在実行中の印刷ジョブの画像データをＲＡＭ９ｂ内の作業領域から他の領域に待避して（Ｓ４８）、割り込みコピージョブを待機印刷ジョブリストの先頭に登録する（Ｓ５０）。例えば、当初は図９に示すように「ＩＮ」という表示であった割り込みコピージョブの番号カラムを、図１５に示す表示画面のように番号「１」に変更する。
【０１５０】
上記Ｓ４５で現在実行中の印刷ジョブの残り枚数が所定枚数未満であれば、現在実行中の印刷ジョブが完了しているか否かを判定する（Ｓ４９）。現在実行中の印刷ジョブが完了するまでこのＳ４９のステップは繰り返され、現在実行中の印刷ジョブが完了したと判定された時点で、割り込みコピージョブを待機印刷ジョブリストの先頭に登録する（Ｓ５０）。
【０１５１】
Ｓ５０の後、図１５に示すように、コピーモード画面４０を閉じて、割り込みコピージョブを待機印刷ジョブリストの先頭に挿入したジョブステータス画面を表示する（Ｓ５１）。その後、図２１に示すＳ５２に進み、割り込みコピージョブの印刷動作を開始する。
【０１５２】
次いで、割り込みキー３４を元の表示状態に戻し、有効にした（Ｓ５３）後、割り込みキー３４の操作があったか否かを判定する（Ｓ５４）。割り込みキー３４の操作がなかった場合、Ｓ５９に進み、割り込みコピージョブの印刷が完了したか否かを判定する。
【０１５３】
一方、割り込みキー３４の操作があった場合、割り込みキー３４を非表示とする（Ｓ５５）。あるいは、このとき、割り込みキー３４を異なる表示形態で表示画面に表示してもよい。次いで、原稿を読み取り可能とし、スタートキー２０の操作で新たな割り込みコピージョブの全原稿の読み取りを行い（Ｓ５６）、新たな割り込みコピージョブを待機印刷ジョブリストに登録する（Ｓ５７）。次いで、割り込みキー３４を元の表示状態（割り込みキー３４の操作前の表示状態）に戻し、割り込みキー３４を有効にした後、割り込みコピージョブの印刷が完了したか否かを判定する。
【０１５４】
上記Ｓ５９で割り込みコピージョブの印刷が完了していなければ、Ｓ５３に戻り、割り込みキー３４を元の表示状態に戻し、有効にする。一方、Ｓ５９で割り込みコピージョブの印刷が完了していた場合、割り込みコピージョブを印刷完了ジョブに移管した（Ｓ６０）後、割り込みコピージョブが印刷ジョブリストにまだあるかを判定する（Ｓ６１）。
【０１５５】
上記Ｓ６１で割り込みコピージョブが印刷ジョブリストにまだあれば、Ｓ５２に戻り、Ｓ６１で割り込みコピージョブの印刷を開始する。一方、割り込みコピージョブが印刷ジョブリストになければ、割り込みコピージョブの開始時に印刷ジョブの中断があったか否かを判定する（Ｓ６２）。割り込みコピージョブの開始時に印刷ジョブの中断がなかった場合、次の待機印刷ジョブの印刷動作を開始し（Ｓ６３）、図１７に示すＳ１に戻る。一方、Ｓ６２で割り込みコピージョブの開始時に印刷ジョブの中断があった場合、中断した印刷ジョブの進捗状態を読み出し（Ｓ６４）、中断した印刷ジョブを再開して（Ｓ６５）、図１７に示すＳ１に戻る。
【０１５６】
なお、上述の実施の形態では、割り込みキー３４の表示は、表示部であるタッチパネル３に表示される各モード画面に表示するようにしたが、割り込みを許容するジョブに対応した画面だけに表示するようにしても良い。例えば、割り込み可能なジョブがコピージョブだけの場合、コピーモード画面だけに割り込みキー３４を表示し、他の画面には割り込みキー３４を表示しないようにしても良い。また、上述の実施の形態では、割り込みキー３４を、操作が有効であるか否かに応じて、表示画面上で視認できる表示状態と、表示画面上で視認できない非表示状態との間で切り換えた。しかしながら、割り込みキー３４の操作が有効である時（割り込みキー３４の操作ができる時）には割り込みキー３４を明確に表示する一方、割り込みキー３４の操作が無効である時（割り込みキー３４の操作ができない時）には割り込みキー３４をぼやけた表示状態（グレー表示）で表示すると共に割り込みキー３４の操作を無効にするようにしても良い。つまり、割り込みキー３４の操作が有効である時と割り込みキー３４の操作が無効である時とで、割り込みキー３４の表示形態を異ならせて、割り込みをできるかできないかが使用者に分かるようにしてもよい。
【０１５７】
また、上述の実施の形態では、割り込みキー３４は、ＬＣＤ５上に表示されるソフトキーで構成された場合について説明したが、本発明はこれに限定されるものではなく、例えば、図２２に示すように、スタートキー２０の左側に配置されたハードキーからなる割り込みキー１００であってもよい。
【０１５８】
また、本実施形態の画像処理装置は、印刷部１１で印刷を行う印刷動作（コピージョブ、受信ＦＡＸ印刷ジョブ、ＰＣ印刷ジョブ）と、電子メールで画像データ等を外部に送信する電子メール送信動作（電子メール送信ジョブ）と、ＦＡＸで外部のＦＡＸ端末等の画像データを送信するＦＡＸ送信動作（ＦＡＸ送信ジョブ）とを並行して行うことができるようになっている。そのため、本実施形態の画像形成装置では、コピージョブ（コピー動作）の割り込みの他に、電子メール送信ジョブやＦＡＸ送信ジョブの割り込みも行うことができるようにしてもよい。電子メール送信ジョブやＦＡＸ送信ジョブの割り込みを行う場合には、送信中（実行中）のジョブを中断して別のジョブを割り込ませることはできないので、送信中のジョブが完了した時点で別のジョブを割り込ませればよい。
【０１５９】
このように複数種類のジョブの割り込みを可能にする場合、割り込みキー３４を１個のキーとし、割り込みキー３４によって実行される割り込みジョブが、表示されている各モードの画面（コピーモード画面、電子メールモード画面、またはＦＡＸモード画面）に対応して変わる（決定される）ようにしてもよい。しかしながら、割り込みキー３４は、図２３に示すように、コピージョブの割り込みを指示するためのコピー割り込みキー３４ａ、電子メール送信ジョブの割り込みを指示するためのＥ−ＭＡＩＬ割り込みキー３４ｂ、および、ＦＡＸ送信ジョブの割り込みを指示するためのＦＡＸ割り込みキー３４ｃの計３つの独立したキーであることが好ましい。この構成では、使用者が容易に操作が行える。すなわち、このような構成にすることにより、何れのモードでも（特に動作状態が分かりにくい送信動作を行う電子メールモードやＦＡＸモード）でもそれぞれの待機中のジョブや実行中のジョブの有無を即座に確認できるだけでなく、即座にそれぞれの割り込みジョブを割り込ませることが可能になる。
【０１６０】
【発明の効果】
本発明の画像処理装置は、以上のように、実行中又は待機中のジョブに対して原稿画像の読み込み処理を含んだ第１の割り込みジョブの実行を開始すべき旨の割り込み指令を受けると、上記第１の割り込みジョブの原稿画像の読み込み処理が終了するまで、原稿画像の読み込み処理を含んだ第２の割り込みジョブの原稿画像の読み込み処理の開始を行わないようにジョブを制御する制御手段を備えていることを特徴としている。
【０１６１】
上記の発明によれば、実行中のジョブに対して、原稿画像の読み込み処理を含んだ第１の割り込みジョブの実行を開始すべき旨の指令を受けると、すぐに実行中のジョブ（割り込まれたジョブ）は停止されて上記第１の割り込みジョブが実行されるわけではない。つまり、第１の割り込みジョブに係る原稿の読み込みが終了するまで、割り込まれたジョブが継続して実行される。上記原稿の読み込みが終了すると、割り込まれたジョブの実行が中断され、上記第１の割り込みジョブが実行されると共に、第２の割り込みジョブを実行すべき旨の割り込み指令を受け付ける。そして、この第１の割り込みジョブの実行が終了すると、上記中断されていたジョブの実行が再開される。
【０１６２】
また、待機中のジョブに対して、原稿画像の読み込み処理を含んだ第１の割り込みジョブの実行を開始すべき旨の指令を受けると、割り込まれた待機中のジョブは、第１の割り込みジョブに係る原稿画像の読み込み処理が終了するまで、実行の開始が可能となる。そして、上記原稿画像の読み込み処理が終了する前に待機中のジョブ（割り込まれたジョブ）の実行が開始された場合、上記原稿画像の読み込み処理が終了すると、上記ジョブの実行が中断され、上記第１の割り込みジョブが実行されると共に、第２の割り込みジョブを実行すべき旨の割り込み指令を受け付ける。そして、この第１の割り込みジョブの実行が終了すると、上記中断されていたジョブの実行が再開される。
【０１６３】
このように、原稿画像の読取処理を含んだ第１の割り込みジョブの実行を開始すべき旨の割り込み指令を受け付けると、割り込まれたジョブの実行と、上記第１の割り込みジョブの原稿画像の読み込み処理とが並行して行われる。加えて、上記第１の割り込みジョブの原稿画像の読み込み処理が終了すると、次の原稿画像の読み込み処理を含んだ割り込みジョブである第２の割り込みジョブの実行を開始すべき旨の割り込み指令を受け付ける。勿論、第１の割り込みジョブの原稿画像の読み込み処理の際に実行可能な処理、例えば第１の割り込みジョブに対して設定された条件どおりに印字できるように原稿の画像データを補正する等の処理も併せて行うことが好ましい。
【０１６４】
以上より、割り込みジョブの実行を開始すべき旨の割り込み指令を受け付けた際に、割り込まれたジョブの停止（中断）と、割り込みジョブの実行の開始とがシーケンシャルに行われていた従来技術と比較して、上記画像処理装置によれば、第１の割り込みジョブに係る原稿画像の読み込み処理が行えると共に、この原稿読み込みの終了までの間に割り込まれたジョブの実行と他の実行可能な必要処理とが行えるので、割り込まれたジョブの実行再開までの待機時間を短縮できると共に、画像処理装置の稼働効率を著しく向上させることが可能となる。しかも、割り込みジョブも含めた全てのジョブの終了までに要する時間を確実に短縮できる。それゆえ、複数の使用者（ユーザ）が個々に割り込み処理を行う場合でも各待機時間を低減できるという効果を併せて奏する。
【０１６５】
上記画像処理装置において、上記第２の割り込みジョブを実行すべき旨の割り込み指令を受け付けると、上記第２の割り込みジョブに係る原稿画像の読み込み処理の一部又は全部は、上記第１の割り込みジョブの実行中に行われると共に、上記第２の割り込みジョブは、上記第１の割り込みジョブの実行終了後に実行されることが好ましい。
【０１６６】
この場合、確実に第１の割り込みジョブが次の第２の割り込みジョブに優先して行われるので、時間的により早く割り込み指令を発した割り込みジョブが優先的に処理、実行される。しかも、第１の割り込みジョブの実行中に、第２の割り込みジョブに係る原稿画像の読み込み処理の一部又は全部が行われるので、画像処理装置の稼働効率をより一層向上させることが可能となる。しかも、割り込みジョブも含めた全てのジョブの終了までに要する時間をより一層短縮できるという効果を併せて奏する。
【０１６７】
本発明に係る他の画像処理装置は、以上のように、実行中のジョブに対して原稿画像の読み込み処理を含んだ第１の割り込みジョブの実行を開始すべき旨の割り込み指令を受けると、実行中の上記ジョブの残量が所定量未満の場合、該ジョブの終了後に上記第１の割り込みジョブを実行する一方、上記残量が上記所定量以上の場合に上記第１の割り込みジョブを実行すると共に、上記第１の割り込みジョブの原稿画像の読み込み処理が終了するまで、原稿画像の読み込み処理を含んだ第２の割り込みジョブの原稿画像の読み込み処理の開始を行わないようにジョブを制御する制御手段を備えていることを特徴としている。
【０１６８】
上記の発明によれば、実行中のジョブに対して、原稿画像の読み込み処理を含んだ第１の割り込みジョブを実行すべき旨の指令を受けると、すぐに実行中のジョブ（割り込まれたジョブ）は停止されて上記第１の割り込みジョブが実行されるわけではない。
【０１６９】
具体的には、割り込まれたジョブの残量が所定量以上の場合、第１の割り込みジョブに係る原稿画像の読み込み処理が終了するまで、割り込まれたジョブが継続して実行される。上記原稿画像の読み込み処理が終了すると、割り込まれたジョブの実行が中断され、上記第１の割り込みジョブが実行されると共に、第２の割り込みジョブを実行すべき旨の割り込み指令を受け付ける。そして、この第１の割り込みジョブの実行が終了すると、上記中断されていたジョブの実行が再開される。
【０１７０】
一方、割り込まれたジョブの残量が所定量未満の場合、当該割り込まれたジョブはそのまま最後まで中断することなく実行された後、上記第１の割り込みジョブが実行される。割り込まれたジョブの残量に無関係に、一律に割り込まれたジョブが中断されるのではないので、より現実的なジョブの実行が行われる。この場合、割り込まれたジョブの実行中に、上記第１の割り込みジョブに係る原稿画像の読み込み処理が行われる。
【０１７１】
このように、割り込まれたジョブの残量が所定量以上の場合、第１の割り込みジョブを受け付けると、当該割り込まれたジョブの継続実行と、上記第１の割り込みジョブの原稿画像の読み込み処理とが並行して行われる。加えて、上記第１の割り込みジョブの原稿画像の読み込み処理が終了すると、次の割り込みジョブである第２の割り込みジョブを実行すべき旨の割り込み指令を受け付ける。勿論、第１の割り込みジョブの原稿画像の読み込み処理の際に実行可能な処理、例えば第１の割り込みジョブに対して設定された条件どおりに印字できるように原稿の画像データを補正する等の処理も併せて行うことが好ましい。一方、割り込まれたジョブの残量が所定量未満の場合、当該割り込まれたジョブはそのまま最後まで実行された後、上記第１の割り込みジョブが実行されるので、より現実的なジョブの実行が行われる。
【０１７２】
以上より、割り込みジョブを受け付けた際に、割り込まれたジョブの停止（中断）と、割り込みジョブの実行の開始とがシーケンシャルに行われていた従来技術と比較して、上記画像処理装置によれば、第１の割り込みジョブに係る原稿画像の読み込み処理が行えると共に、この原稿画像の読み込み処理の終了までの間に割り込まれたジョブの継続実行と他の実行可能な必要処理とが行えるので、割り込まれたジョブ（割り込み前に実行中であったジョブ）の実行再開までの待機時間を短縮できると共に、画像処理装置の稼働効率を著しく向上させることが可能となる。又、割り込まれたジョブは、そのジョブ残量に応じた処理が行われるので、より現実的な処理がなされることになる。しかも、割り込みジョブも含めた全てのジョブの終了までに要する時間を確実に短縮できる。加えて、割り込まれたジョブの残量に応じて、より現実的なジョブの実行が可能となるという効果を併せて奏する。
【０１７３】
上記何れの画像処理装置においても、上記第１及び第２の割り込みジョブは、記録媒体に画像を形成する印刷処理をさらに含んでいることが好ましい。
【０１７４】
上記第１及び第２の割り込みジョブの実行を開始すべき旨の割り込み指令は、タッチパネルに表示される表示上のキーを介して行い、上記割り込みジョブが実行可能な状態であるときのみ表示されるようになっていることが好ましい。
【０１７５】
この場合、割り込みキーをタッチパネルによる表示上のキー（ソフトキー）として表示するので、割り込みキーをハードキーとして操作パネルに設ける必要がなくな。それゆえ、操作パネルを小型化することが可能になるとともに、操作パネルの部品点数を少なくすることができ、操作パネルの構成をより簡素化することができるという効果を併せて奏する。
【０１７６】
本発明に係る画像処理方法としては、以上のように、画像の処理に係る複数ジョブを順次実行し、実行中又は待機中のジョブに対して原稿画像の読み込み処理を含んだ割り込みジョブの実行が可能な画像処理方法において、実行中又は待機中の上記ジョブに対して原稿画像の読み込み処理を含んだ第１の割り込みジョブの実行を開始すべき旨の登録を行うと、上記第１の割り込みジョブに係る原稿画像の読み込み処理が終了するまで、原稿画像の読み込み処理を含んだ第２の割り込みジョブの原稿画像の読み込み処理の開始を行うべき旨の登録ができないようにジョブを制御することが好ましい。
【０１７７】
本発明に係る他の画像処理方法としては、以上のように、実行中のジョブと次に実行すべきジョブとの間で原稿画像の読み込み処理を含んだ割り込みジョブの実行が可能な画像処理方法において、実行中の上記ジョブに対して原稿画像の読み込み処理を含んだ第１の割り込みジョブの実行を開始すべき旨の登録を行うと、実行中の上記ジョブの残量が所定量未満の場合、該ジョブの終了後に上記第１の割り込みジョブを実行する一方、上記残量が上記所定量以上の場合に上記第１の割り込みジョブを実行すると共に、上記第１の割り込みジョブの原稿画像の読み込み処理が終了するまで、原稿画像の読み込み処理を含んだ第２の割り込みジョブの原稿画像の読み込み処理の開始を行うべき旨の登録ができないようにジョブを制御することが好ましい。
【図面の簡単な説明】
【図１】本発明の実施の一形態に係る画像処理装置の構成例を示す概略ブロック図である。
【図２】上記画像処理装置が備える操作パネルの構成を示す平面図である。
【図３】上記操作パネルが備えるタッチパネルに表示される画面であって、待機印刷ジョブリストの１頁目を表示しているときのジョブステータス画面の一例を示す平面図である。
【図４】待機印刷ジョブリストの２頁目を表示しているときのジョブステータス画面の一例を示す平面図である。
【図５】待機印刷ジョブリストに登録された印刷ジョブがないときのジョブステータス画面の一例を示す平面図である。
【図６】完了印刷ジョブリストを表示しているときのジョブステータス画面の一例を示す平面図である。
【図７】待機電子メール送信ジョブリストを表示しているときのジョブステータス画面の一例を示す平面図である。
【図８】待機ＦＡＸ送信ジョブリストを表示しているときのジョブステータス画面の一例を示す平面図である。
【図９】待機ＦＡＸ送信ジョブリストが表示された状態で割り込みキーを操作した直後のジョブステータス画面の一例を示す平面図である。
【図１０】割り込みキーを操作した後、所定時間が経過してコピーモード画面が表示されたときのタッチパネルの表示画面の一例を示す平面図である。
【図１１】上記コピーモード画面の用紙選択キーを操作したときのタッチパネルの表示画面の一例を示す平面図である。
【図１２】上記コピーモード画面の片面コピー／両面コピー切り換えキーを操作したときのタッチパネルの表示画面の一例を示す平面図である。
【図１３】割り込みコピーの読み込み動作が行われているときのタッチパネルの表示画面の一例を示す平面図である。
【図１４】割り込みコピーの読み込み動作が完了したときのタッチパネルの表示画面の一例を示す平面図である。
【図１５】割り込みコピーの読み込み動作が完了した後、所定時間が経過してコピーモード画面が閉じられた後のタッチパネルの表示画面（ジョブステータス画面）の一例を示す平面図である。
【図１６】割り込みコピージョブの印刷動作が完了した後のタッチパネルの表示画面（ジョブステータス画面）の一例を示す平面図である。
【図１７】本発明の実施の一形態に係る画像処理装置における一連の制御を示すフローチャートの一部である。
【図１８】図１７のフローチャートの他の一部である。
【図１９】図１７のフローチャートの更に他の一部である。
【図２０】図１７のフローチャートの他の部分である。
【図２１】図１７のフローチャートの残りの部分である。
【図２２】本発明の画像処理装置において、割り込みキーがハードキーからなるなる操作パネルの構成を示す平面図である。
【図２３】複数種類の割り込みキーを表示するタッチパネルの表示画面（ジョブステータス画面）の一例を示す平面図である。
【符号の説明】
１  操作パネル
３  タッチパネル
８  制御部（制御手段）
１０  スキャナ部
１１  印刷部
１３  インターフェイス部
１５  モデム
３４  割り込みキー
６０  操作パネル
６２  タッチパネル
６４  割り込みキー
６７  コピーモードキー
１００  割り込みキー
【図１】
0003662516.tif 000002
【図２】
0003662516.tif 000003
【図３】
0003662516.tif 000004
【図４】
0003662516.tif 000005
【図５】
0003662516.tif 000006
【図６】
0003662516.tif 000007
【図７】
0003662516.tif 000008
【図８】
0003662516.tif 000009
【図９】
0003662516.tif 000010
【図１０】
0003662516.tif 000011
【図１１】
0003662516.tif 000012
【図１２】
0003662516.tif 000013
【図１３】
0003662516.tif 000014
【図１４】
0003662516.tif 000015
【図１５】
0003662516.tif 000016
【図１６】
0003662516.tif 000017
【図１７】
0003662516.tif 000018
【図１８】
0003662516.tif 000019
【図１９】
0003662516.tif 000020
【図２０】
0003662516.tif 000021
【図２１】
0003662516.tif 000022
【図２２】
0003662516.tif 000023
【図２３】
0003662516.tif 000024